(57)【要約】【課題】画像データに対する処理条件を正確に設定できる画像処理装置、画像形成装置、処理条件設定方法および処理条件設定プログラムを提供する。【解決手段】スキャナ１１０は、画像データを取得し、めくり方向受付部１５２は、取得された画像データを印刷した媒体のページめくりの方向であるめくり方向の入力を受け付け、処理条件メニュー生成部１５４は、画像データを印刷した用紙に対して所定の処理を行う際の処理条件のうち、めくり方向受付部１５２によって受け付けためくり方向によって設定される処理条件を限定し、操作表示制御部１５１は、限定された処理条件の入力を受け付ける。【選択図】        図１
2009048096.tif 000002
【特許請求の範囲】
【請求項１】
画像情報を取得する画像情報取得手段と、
前記画像情報取得手段によって取得した前記画像情報を印刷した用紙のページをめくる方向であるめくり方向の入力を受け付ける方向受付手段と、
前記方向受付手段によって受け付けられた前記めくり方向に基づいて、前記画像情報を印刷した用紙に対して所定の処理を行う際の処理条件を限定する処理条件限定手段と、
前記処理条件限定手段によって限定された前記処理条件の入力を受け付ける処理条件受付手段と、
を備えたことを特徴とする画像処理装置。
【請求項２】
前記画像情報取得手段によって取得された前記画像情報を表示する画像表示手段と、
前記方向受付手段によって受け付けられた前記めくり方向に基づいて、前記画像情報を印刷した媒体のページめくりの軸である見開き軸の位置を特定する見開き軸特定手段と、
前記画像情報取得手段によって取得された前記画像情報上に特定した前記見開き軸を表示する見開き軸表示手段をさらに備えたことを特徴とする請求項１に記載の画像処理装置。
【請求項３】
前記めくり方向と前記見開き軸の位置とを対応付けて記憶する見開き軸記憶手段をさらに備え、
前記見開き軸特定手段は、前記見開き軸記憶手段から、前記方向受付手段によって受け付けられた前記めくり方向に対応付けられた前記見開き軸の位置を特定することを特徴とする請求項２に記載の画像処理装置。
【請求項４】
前記めくり方向と前記処理条件とを対応付けて記憶する処理条件記憶手段をさらに備え、
前記処理条件限定手段は、前記処理条件記憶手段から、前記方向受付手段によって受け付けた前記めくり方向に対応付けられた前記処理条件を取得し、取得された前記処理条件に限定することを特徴とする請求項１から３のいずれか一つに記載の画像処理装置。
【請求項５】
請求項１〜４のいずれか一つに記載された画像処理装置と、前記画像処理装置によって入力を受け付けた画像情報を印刷した用紙に対して所定の処理を行う際の処理条件に基づいて前記画像情報を用紙に印刷する印刷部と、を備えたことを特徴とする画像形成装置。
【請求項６】
画像情報を取得して記憶部に記憶する画像情報取得ステップと、
前記画像情報取得ステップによって取得した前記画像情報を印刷した用紙のページをめくる方向であるめくり方向の入力を受け付ける方向受付ステップと、
前記めくり方向受付ステップによって受け付けられた前記めくり方向に基づいて、前記画像情報を印刷した用紙に対して所定の処理を行う際の処理条件を限定する処理条件限定ステップと、
前記処理条件限定ステップによって限定された前記処理条件の入力を受け付ける処理条件受付ステップと、
を有することを特徴とする処理条件設定方法。
【請求項７】
前記画像情報取得ステップによって取得された前記画像情報を表示部に表示する画像表示ステップと、
前記方向受付ステップによって受け付けられた前記めくり方向に基づいて、前記画像情報を印刷した媒体のページめくりの軸である見開き軸の位置を特定する見開き軸特定ステップと、
前記画像情報取得ステップによって取得された前記画像情報上に特定した前記見開き軸を表示する見開き軸表示ステップをさらに有することを特徴とする請求項６に記載の処理条件設定方法。
【請求項８】
画像情報を取得して記憶部に記憶する画像情報取得処理と、
前記画像情報取得処理によって取得した前記画像情報を印刷した用紙のページをめくる方向であるめくり方向の入力を受け付ける方向受付処理と、
前記方向受付処理によって受け付けられた前記めくり方向に基づいて、前記画像情報を印刷した用紙に対して所定の処理を行う際の処理条件を限定する処理条件限定処理と、
前記処理条件限定処理によって限定された前記処理条件の入力を受け付ける処理条件受付処理と、
をコンピュータに実行させることを特徴とする処理条件設定プログラム。
【請求項９】
前記画像情報取得処理によって取得された前記画像情報を表示部に表示する画像表示処理と、
前記方向受付ステップによって受け付けられた前記めくり方向に基づいて、前記画像情報を印刷した媒体のページめくりの軸である見開き軸の位置を特定する見開き軸特定処理と、
前記画像情報取得処理によって取得された前記画像情報上に特定した前記見開き軸を表示する見開き軸表示処理をさらにコンピュータに実行させることを特徴とする請求項８に記載の処理条件設定プログラム。
【発明の詳細な説明】
【技術分野】
【０００１】
本発明は、画像処理装置、画像形成装置、処理条件設定方法および処理条件設定プログラムに関する。
【背景技術】
【０００２】
従来、画像情報を処理する装置として、スキャナや複写機、ファクシミリ装置、複合機等が一般に知られている。これらの装置は、様々な機能を備えているが、それらの機能を設定するためには膨大なメニュー項目から設定したい機能を選び出して設定する必要があるため、操作が煩雑であるという問題があった。
【０００３】
このような問題を解決するものとして、原稿の特性から選択できるメニュー項目を絞り込んで表示する画像形成装置が開示されている（特許文献１参照）。かかる画像形成装置では、スキャナ等から原稿を読込み、読込んだ画像情報の特性を判別する。さらに、判別された特性によって表示する項目を絞り込むことにより、読込んだ画像情報に対して選択可能な項目のみが表示され、利用者はすべての項目が表示される場合に比べ、より容易に項目を選択することができる。
【０００４】
【特許文献１】特開２００６−３５６８号公報
【発明の開示】
【発明が解決しようとする課題】
【０００５】
しかしながら、上記特許文献１に記載された技術では、すべてのメニュー項目が表示される場合に比べれば容易に設定したい項目を選択できるものの、読込んだ画像情報から選択することができる項目のすべてが表示されるため、依然として利用者にとっての選択肢が多く、画像データに対する処理条件の設定をより容易にすることができなかった。
【０００６】
本発明は、上記に鑑みてなされたものであって、画像データに対する処理条件を容易に設定できる画像処理装置、画像形成装置、処理条件設定方法および処理条件設定プログラムを提供することを目的とする。
【課題を解決するための手段】
【０００７】
上述した課題を解決し、目的を達成するために、請求項１にかかる発明は、画像情報を取得する画像情報取得手段と、前記画像情報取得手段によって取得した前記画像情報を印刷した用紙のページをめくる方向であるめくり方向の入力を受け付ける方向受付手段と、前記方向受付手段によって受け付けられた前記めくり方向に基づいて、前記画像情報を印刷した用紙に対して所定の処理を行う際の処理条件を限定する処理条件限定手段と、前記処理条件限定手段によって限定された前記処理条件の入力を受け付ける処理条件受付手段と、を備えたことを特徴とする。
【０００８】
また、請求項２にかかる発明は、請求項１にかかる発明において、前記画像情報取得手段によって取得された前記画像情報を表示する画像表示手段と、前記方向受付手段によって受け付けられた前記めくり方向に基づいて、前記画像情報を印刷した媒体のページめくりの軸である見開き軸の位置を特定する見開き軸特定手段と、前記画像情報取得手段によって取得された前記画像情報上に特定した前記見開き軸を表示する見開き軸表示手段をさらに備えたことを特徴とする。
【０００９】
また、請求項３にかかる発明は、請求項２にかかる発明において、前記めくり方向と前記見開き軸の位置とを対応付けて記憶する見開き軸記憶手段をさらに備え、前記見開き軸特定手段は、前記見開き軸記憶手段から、前記方向受付手段によって受け付けられた前記めくり方向に対応付けられた前記見開き軸の位置を特定することを特徴とする。
【００１０】
また、請求項４にかかる発明は、請求項１から３のいずれか一つにかかる発明において、前記めくり方向と前記処理条件とを対応付けて記憶する処理条件記憶手段をさらに備え、前記処理条件限定手段は、前記処理条件記憶手段から、前記方向受付手段によって受け付けた前記めくり方向に対応付けられた前記処理条件を取得し、取得された前記処理条件に限定することを特徴とする。
【００１１】
また、請求項５にかかる発明は、請求項１〜４のいずれか一つに記載された画像処理装置と、前記画像処理装置によって入力を受け付けた画像情報を印刷した用紙に対して所定の処理を行う際の処理条件に基づいて前記画像情報を用紙に印刷する印刷部と、を備えたことを特徴とする。
【００１２】
また、請求項６にかかる発明は、画像情報を取得して記憶部に記憶する画像情報取得ステップと、前記画像情報取得ステップによって取得した前記画像情報を印刷した用紙のページをめくる方向であるめくり方向の入力を受け付ける方向受付ステップと、前記めくり方向受付ステップによって受け付けられた前記めくり方向に基づいて、前記画像情報を印刷した用紙に対して所定の処理を行う際の処理条件を限定する処理条件限定ステップと、前記処理条件限定ステップによって限定された前記処理条件の入力を受け付ける処理条件受付ステップと、を有することを特徴とする。
【００１３】
また、請求項７にかかる発明は、請求項６にかかる発明において、前記画像情報取得ステップによって取得された前記画像情報を表示部に表示する画像表示ステップと、前記方向受付ステップによって受け付けられた前記めくり方向に基づいて、前記画像情報を印刷した媒体のページめくりの軸である見開き軸の位置を特定する見開き軸特定ステップと、前記画像情報取得ステップによって取得された前記画像情報上に特定した前記見開き軸を表示する見開き軸表示ステップをさらに有することを特徴とする。
【００１４】
また、請求項８にかかる発明は、画像情報を取得して記憶部に記憶する画像情報取得処理と、前記画像情報取得処理によって取得した前記画像情報を印刷した用紙のページをめくる方向であるめくり方向の入力を受け付ける方向受付処理と、前記方向受付処理によって受け付けられた前記めくり方向に基づいて、前記画像情報を印刷した用紙に対して所定の処理を行う際の処理条件を限定する処理条件限定処理と、前記処理条件限定処理によって限定された前記処理条件の入力を受け付ける処理条件受付処理と、をコンピュータに実行させることを特徴とする。
【００１５】
また、請求項９にかかる発明は、請求項８にかかる発明において、前記画像情報取得処理によって取得された前記画像情報を表示部に表示する画像表示処理と、前記方向受付ステップによって受け付けられた前記めくり方向に基づいて、前記画像情報を印刷した媒体のページめくりの軸である見開き軸の位置を特定する見開き軸特定処理と、前記画像情報取得処理によって取得された前記画像情報上に特定した前記見開き軸を表示する見開き軸表示処理をさらにコンピュータに実行させることを特徴とする。
【発明の効果】
【００１６】
本発明によれば、画像情報に対する処理条件をめくり方向によって絞り込まれた処理条件から選択することができるため、画像情報に対して容易に処理条件を設定することができる、という効果を奏する。
【発明を実施するための最良の形態】
【００１７】
以下に添付図面を参照して、本発明にかかる画像処理装置、画像形成装置、処理条件設定方法および処理条件設定プログラムの最良な実施の形態を詳細に説明する。なお、本発明はこれらの実施の形態に限定されるものではない。
【００１８】
（第１の実施の形態）
第１の実施の形態について、添付図面を参照して説明する。本実施の形態は、画像処理装置として、コピー機能、ファクシミリ（ＦＡＸ）機能、プリント機能、スキャナ機能及び入力画像（スキャナ機能により読取られた原稿画像や、プリンタあるいはＦＡＸ機能により入力された画像）を配信する機能等を複合したいわゆる複合機を適用した例である。
【００１９】
図１は、第１の実施の形態にかかる複合機の構成を示すブロック図である。本実施の形態にかかる複合機１００は、スキャナ１１０と、ＡＤＦ（オート・ドキュメント・フィーダ）１１１と、スキャナコントローラ１１２と、画像記憶部１２０と、画像処理部１３０と、プリンタ１４０と、プリンタコントローラ１４２と、仕上げ処理部１４１と、操作表示部１５０と、操作表示制御部１５１と、システム制御部１６０と、通信制御部１７０と、見開き軸特定データベース１８０と、処理条件データベース１９０とを備えている。また、複合機１００は、通信制御部１７０を介してネットワーク２０と接続されている。そして、複合機１００は、原稿１の画像を読み取って画像処理を施した後、印刷物２として出力する。
【００２０】
システム制御部１６０は、各構成部と接続されていて、複合機１００全体の制御を行うものである。例えば、選択されている用紙サイズに対して適切な走査領域情報をスキャナ１１０に提供するなどの制御である。このシステム制御部１６０は、不図示のＣＰＵ（Central Processing Unit）、ＲＯＭ（Read Only Memory）、ＲＡＭ（Random Access Memory）などから構成されており、ＣＰＵがＲＯＭに格納されたプログラムに基づいてＲＡＭのワーク領域を利用しながら動作することにより、各種処理が実行される。
【００２１】
なお、複合機１００で実行されるプログラムは、インストール可能な形式又は実行可能な形式のファイルでＣＤ−ＲＯＭ、フレキシブルディスク（ＦＤ）、ＣＤ−Ｒ、ＤＶＤ（digital Versatile Disk）等のコンピュータで読み取り可能な記録媒体に記録されて提供されてもよい。この場合、システム制御部１６０のＣＰＵが上記記憶媒体からプログラムを読み出して主記憶装置（図示せず）上にロードすることで、複合機１００に各種の機能を実現させる。また、プログラムを、インターネット等のネットワーク２０に接続されたコンピュータ上に格納し、ネットワーク経由でダウンロードさせることにより提供するようにしてもよい。または、プログラムをインターネット等のネットワーク経由で提供若しくは配布するようにしてもよい。
【００２２】
通信制御部１７０は、ＬＡＮ（ローカル・エリア・ネットワーク）やインターネットなどのネットワーク２０と接続され、通信プロトコルに従ってネットワークに接続された他の機器との間で画像データや制御データ等のやり取りを行うものである。
【００２３】
スキャナ１１０は、スキャナコントローラ１１２に制御され、原稿１のイメージをデジタル画像データに変換する。なお、ＡＤＦ１１１は、セットされた複数ページの原稿をスキャナ１１０の読取位置に１枚ずつ順に繰り出すことができる。ＡＤＦ１１１を用いることにより、スキャナ１１０は複数ページの原稿を連続して自動的に読み込みを行うことができる。また、ＡＤＦ１１１は、用紙の片面に印刷された片面原稿だけでなく、両面に印刷された両面原稿を反転させてスキャナ１１０に送り出すことができるので、スキャナ１１０に両面原稿を読み込ませることが可能である。スキャナコントローラ１１２は、システム制御部１６０の命令を受け、スキャナ１１０を制御する。
【００２４】
画像記憶部１２０は、システム制御部１６０の命令を受け、スキャナ１１０で読み取った画像データや、ネットワーク２０を介して外部から入力された画像データ等を一時的に保存しておくバッファメモリである。本実施の形態の複合機１００は、自身の備えるスキャナ１１０から読み取った画像データ及び、ネットワーク２０を介するなどして外部から入力された画像データのいずれをも処理して画像形成することができる。
【００２５】
画像処理部１３０は、スキャナ１１０から送られて画像記憶部１２０に一時的に保存された多値データに対して、システム制御部１６０の命令を受け、γ補正やＭＴＦ補正処理等を施した後、スライス処理やディザ処理のような階調処理を施して２値（または多値）化処理を施す。また、画像処理部１３０は、利用者が設定した機能に対応した各種の画像処理（拡大／縮小、濃度／色の調整など）、画像領域編集処理（領域削除、領域移動、領域反転など）やレイアウト加工処理（両面印刷／片面印刷、集約印刷、余白サイズの調整など）、仕上がり状態を示すプレビュー画像の生成処理などを行う。
【００２６】
プリンタ１４０は、プリンタコントローラ１４２に制御され、画像処理部１３０で処理された画像データに基づいて光ビームを偏向走査させ、感光体上に形成した静電潜像にトナーを使って現像し、生成されたトナー画像を転写紙に転写して、定着処理を行う電子写真技術を用いたプリンタである。なお、プリンタ１４０の印刷方式は、電子写真方式のほか、インクジェット方式、昇華型熱転写方式、銀塩写真方式、直接感熱記録方式、溶融型熱転写方式など、様々な方式を用いることができる。プリンタコントローラ１４２は、システム制御部１６０の命令を受けてプリンタ１４０を制御する。
【００２７】
プリンタ１４０は、仕上げ処理部１４１を搭載している。仕上げ処理部１４１は、自動設定あるいは利用者による設定を受け付けて、印刷処理が施された印刷物２を部数やページ単位で仕分けするソート処理、印刷媒体に対して所定のスタンプを押印するスタンプ処理、複数枚の印刷媒体を揃えてステープルで綴じるステープル処理、あるいは複数枚の印刷媒体をバインダやファイルに綴じるためのパンチ穴をあけるパンチ処理等の仕上げ処理を行う。
【００２８】
操作表示制御部１５１は、システム制御部１６０の命令を受けて操作表示部１５０の入出力を制御する。例えば、操作表示制御部１５１は、画像処理部１３０によって処理されたプレビュー画像、プレビュー画像上に見開き軸およびめくり方向によって限定された処理条件メニューを操作表示部１５０が備えているタッチパネル１５０ａおよび表示パネル１５０ｂに出力制御する。また、操作表示制御部１５１は、タッチパネル１５０ａの入力制御を行う。なお、表示パネル１５０ｂとタッチパネル１５０ａは図面上別々に記載されているが、ここでは一体的に構成する。
【００２９】
操作表示制御部１５１は、さらにめくり方向受付部１５２と、見開き軸特定部１５３と、処理条件メニュー生成部１５４とを備える。めくり方向受付部１５２は、操作表示部１５０の指示によりめくり方向の入力を受け付ける。ここで、めくり方向とは、画像データを印刷した媒体のページをめくる方向を示す情報であり、後述する見開き軸特定部１５３において見開き軸の位置を特定するに用いられる情報である。具体的に、めくり方向とは、ページをめくる方向が上下方向、左右方向、左上斜め方向、左下斜め方向、右上斜め方向、または右下斜め方向かを示す情報である。
【００３０】
図２は、操作表示部１５０に表示されたプレビュー画像の一例を示す説明図である。図２では、画像データのプレビュー画像２１に対してめくり方向が指示されていない場合を示す。めくり方向指示メニュー２２は、画像データを印刷した媒体に対して指示可能なページをめくる方向を表示する。なお、本実施の形態においては、操作表示部１５０に表示されためくり方向指示メニュー２２によってめくり方向を指示することとしたが、これに限定するものではない。例えば、プレビュー画像２１が表示されていない画面に表示される方向指示メニューや利用者による物理的なキーの押下を受付けて入力を行うハードキーにより、めくり方向を指示するように構成しても良い。
【００３１】
見開き軸特定データベース１８０は、めくり方向受付部１５２によって受け付けられためくり方向から、見開き軸の位置を特定するための特定ルールを格納する。図３は、見開き軸特定データベースのデータ構成の一例を示す説明図である。図３に示すように、見開き軸特定データベース１８０は、めくり方向と、そのめくり方向によって特定される見開き軸の位置を対応付けて記憶する。
【００３２】
見開き軸特定部１５３は、めくり方向受付部１５２によって受け付けられためくり方向に基づいて、見開き軸の位置を特定する。具体的には、見開き軸特定データベース１８０に記憶された特定ルールから、めくり方向受付部１５２によって受け付けられためくり方向に対応する見開き軸の位置を特定する。ここで、見開き軸は、画像データを印刷した媒体をページめくりする際の軸であり、見開き軸の位置は、操作表示部１５０に表示されたプレビュー画像に対し、左上部、左下部、右上部、右下部、左端部、右端部、下端部、または上端部のいずれかである。このように、画像データを印刷した媒体をページめくりする際のめくり方向に従って見開き軸の位置が特定されるため、利用者は実際に画像データが印刷された媒体のページをめくる方向を意識してめくり方向を指示すれば、所望の位置に見開き軸を設定することができる。
【００３３】
図４〜図１２は、操作表示部１５０に表示されたプレビュー画像と見開き軸の一例を示す説明図である。図４では、プレビュー画像３２に対して左端部に見開き軸３１が設定されている場合を示す。処理条件メニュー３３は、画像データを印刷した用紙に対して所定の処理を行う際に設定可能な処理条件を表示する。ページスクローラ３４は、操作表示部１５０に表示するプレビュー画像のページを指定する。印刷指示メニュー３５は、印刷部数と印刷の開始を指示する。
【００３４】
図５は、縦書きの画像データのプレビュー画像３２に対して右端部に見開き軸３１が設定されている場合を示す。図６は、横書きの画像データのプレビュー画像３２に対して左上部に見開き軸３１が設定されている場合を示す。図７は、縦書きの画像データのプレビュー画像３２に対して右上部に見開き軸３１が設定されている場合を示す。図８は、横書きの画像データのプレビュー画像３２に対し左下部に見開き軸３１が設定されている場合を示す。図９は、縦書きの画像データのプレビュー画像３２に対し右下部に見開き軸３１が設定されている場合を示す。図１０は、横書きの画像データのプレビュー画像３２に対して上端部に見開き軸３１が設定されている場合を示す。図１１は、縦書きの画像データのプレビュー画像３２に対して上端部に見開き軸３１が設定されている場合を示す。図１２は、横書きの画像データのプレビュー画像３２に対して下端部に見開き軸３１が設定されている場合を示す。
【００３５】
処理条件データベース１９０は、めくり方向に対応して設定可能な処理条件および条件値を格納する。図１３は、処理条件データベースのデータ構成の一例を示す説明図である。処理条件データベース１９０は、めくり方向と、設定可能な処理条件および条件値とを対応付けて記憶している。図１３に示すように、めくり方向が“左上斜め”の場合、両面左右開きは“なし”、両面上下開き“なし”、ステープラは“左斜め上”、パンチは“なし”が設定されている。
【００３６】
処理条件メニュー生成部１５４は、処理条件データベース１９０から、めくり方向受付部１５２によって受け付けためくり方向に対応する処理条件および条件値を取得し、処理条件メニューを生成する。例えば、めくり方向が“左上斜め”の場合、処理条件データベース１９０から、両面左右開きは“なし”、両面上下開き“なし”、ステープラは“左斜め上”、パンチは“なし”が取得される。この場合は、操作表示制御部１５１によって図６に示すような画面が表示される。画面上からステープルを指示された場合には、さらにステープルの位置を画面上で指示することなく、処理条件データベース１９０に格納されているステープルの条件値である“左斜め上”のステープルが選択され、画面上にプレビュー画像の左斜め上の位置にステープルが表示される。また、両面左右開き、両面上下開きおよびパンチについては、選択自体が不可であるため、メニュー上に表示されない。このように、画像情報を印刷した用紙に対して所定の処理を行う際の処理条件を、利用者が望んだめくり方向によって絞り込まれた処理条件から選択することができる。よって、利用者は、意図した処理条件および条件値を正確に設定することができる。ここで、処理条件とは、画像データを印刷した用紙に対して所定の処理を行う際の条件であり、設定された様式、すなわち画像データや印刷物に対して施される処理内容である。
【００３７】
タッチパネル１５０ａは、パネル上に、電気的あるいは磁気的にポインタの接触する位置を検出する。タッチパネル１５０ａに対する指定手段（図示せず）としては、人間の指先、スタイラスペン、その他の接触入力具（以下、ポインタという）が適用可能である。すなわち、利用者は、タッチパネル１５０ａに対してこのようなポインタを介して接触することにより印刷条件を含む各種項目を入力する。
【００３８】
なお、本実施の形態においては、タッチパネル１５０ａに対する接触入力を例に挙げて説明するが、必ずしも接触入力のみが本発明の実施の形態ではない。例えば、操作表示部１５０は、タッチパネル１５０ａの他に利用者による物理的なキーの押下を受付けて入力を行うハードキーを備え、印刷実行などの指示を与えるようにしてもよい。また、表示パネル１５０ｂは、複合機１００が備える専有の表示装置を用いてもよい。
【００３９】
操作表示部１５０は、操作表示制御部１５１に制御され、タッチパネル１５０ａを介して設定内容の入力を受付け、プレビュー画像、画像データの処理条件を設定するためのメニュー項目等を表示手段である表示パネル１５０ｂに表示する。
【００４０】
また、操作表示部１５０は、複合機１００で実行したい機能を設定画面のメニュー項目として表示し、表示されたメニュー項目の中から利用者による設定入力を受付け、条件値を取得する。すなわち、操作表示部１５０は、ポインタがタッチパネル１５０ａに接触すると、押圧された部分の座標を検出する。選択可能領域における接触であることが検出されると、該当する項目が選択されたものとして、設定されている条件値を受付ける。
【００４１】
次に、以上のように構成されている複合機１００による処理条件設定・出力処理について説明する。図１４−１、図１４−２は、スキャナ、方向受付部、見開き軸特定部、処理条件メニュー生成部、操作表示制御部、プリンタコントローラ、仕上げ処理部が行う処理条件設定・出力処理手順を示すフローチャートである。
【００４２】
まず、スキャナ１１０は、原稿１を読取り、画像データを取得する（ステップＳ１４０１）。スキャナ１１０は、取得した画像データを画像記憶部１２０に格納する（ステップＳ１４０２）。操作表示制御部１５１は、画像記憶部１２０から画像データを取得し、取得した画像データや処理条件メニュー等から画像データを生成する（ステップＳ１４０３）。具体的には、操作表示制御部１５１は、図２に示すようなプレビュー画像、めくり方向指示メニュー等からなる画像データを生成する。操作表示制御部１５１は、生成された画像データを操作表示部１５０に表示する（ステップＳ１４０４）。
【００４３】
めくり方向受付部１５２は、操作表示部１５０の指示により、めくり方向の入力を受け付ける（ステップＳ１４０５）。次に、見開き軸特定部１５３は、見開き軸特定データベース１８０から、受け付けられためくり方向に対応する見開き軸の位置を特定する（ステップＳ１４０６）。具体的には、見開き軸特定部１５３は、見開き軸特定データベース１８０に格納された特定ルールに基づいて、めくり方向受付部１５２により受け付けためくり方向と対応付けられた見開き軸の位置を特定する。
【００４４】
次に、処理条件メニュー生成部１５４は、処理条件メニュー生成処理を実行する（ステップＳ１４０７）。処理条件メニュー生成処理の詳細は後述する。
【００４５】
操作表示制御部１５１は、画像データを生成する（ステップＳ１４０８）。具体的には、操作表示制御部１５１は、図４に示すような画像データから生成されたプレビュー画像、見開き軸、処理条件メニュー等からなる画像データを生成する。操作表示制御部１５１は、生成された画像データを操作表示部１５０に表示する（ステップＳ１４０９）。
【００４６】
操作表示制御部１５１は、処理条件の入力があるか否かを判断する（ステップＳ１４１０）。処理条件の入力がないと判断した場合は（ステップＳ１４１０：Ｎｏ）、ステップＳ１４１４に進む。処理条件の入力があると判断した場合は（ステップＳ１４１０：Ｙｅｓ）、操作表示制御部１５１は処理条件を取得する（ステップＳ１４１１）。具体的には、操作表示部１５０に表示された処理条件メニューから処理条件を指示し、さらに処理条件に対応した条件値を指示することにより、処理条件を取得する。操作表示制御部１５１は、取得された処理条件に対応する画像データを生成する（ステップＳ１４１２）。操作表示制御部１５１は、生成された画像データを操作表示部１５０に表示する（ステップＳ１４１３）。
【００４７】
操作表示制御部１５１は、画像データに対する設定が終了したか否かを判断する（ステップＳ１４１４）。具体的には、印刷指示メニューが指示されたか否かで判断する。画像データに対する設定が終了していないと判断した場合は（ステップＳ１４１４：Ｎｏ）、ステップＳ１４１０に戻る。画像データに対する設定が終了したと判断した場合は（ステップＳ１４１４：Ｙｅｓ）、画像処理部１３０は画像データを設定された処理条件に従って画像処理する（ステップＳ１４１５）。画像処理部１３０は、画像処理された画像データおよびめくり方向を画像記憶部１２０に格納する（ステップＳ１４１６）。プリンタコントローラ１４２は、画像処理された画像データをプリンタ１４０から出力する（ステップＳ１４１７）。仕上げ処理部１４１は、出力された印刷物２に対して仕上げ処理を行う（ステップＳ１４１８）。
【００４８】
このように、利用者は実際に画像データが印刷された媒体のページをめくる方向を意識してめくり方向を指示すれば、画像情報に対する処理条件を、利用者が望んだめくり方向によって絞り込まれた処理条件から選択することができる。
【００４９】
次に、処理条件メニュー生成部１５４による処理条件メニュー生成処理について説明する。図１５は、処理条件メニュー生成部が行う処理条件メニュー生成処理手順を示すフローチャートである。
【００５０】
処理条件メニュー生成部１５４は、処理条件データベース１９０から、めくり方向に対応する処理条件、すなわち処理条件および条件値を取得する（ステップＳ１５０１）。例えば、めくり方向が“左上斜め”の場合は、処理条件“両面左右開き”に対応する条件値“なし”、処理条件“両面上下開き”に対応する条件値“なし”、処理条件“ステープラ”に対応する条件値“左斜め上”、処理条件“パンチ”に対応する条件値“なし”が取得される。処理条件メニュー生成部１５４は、取得された処理条件から処理条件メニューを生成する（ステップＳ１５０２）。例えば、めくり方向が“左上斜め”の場合は、処理条件“ステープラ”には取り得る条件値があり、処理条件“両面左右開き”、“両面上下開き”、および“パンチ”には取り得る条件値がないため、図６に示すように、“ステープラ”が表示され、“両面左右開き”、“両面上下開き”、および“パンチ”が表示されない処理条件メニューが生成される。
【００５１】
このように、めくり方向によって、処理条件メニューの処理条件が限定され、さらに限定された処理条件から選択できる条件値もめくり方向に対応して限定されるため、利用者は、意図する設定を限られた処理条件や条件値から選択することができ、利用者の操作負担を軽減することができる。
【００５２】
次に、上述した図１４−１〜図１５を用いて、より具体的に処理を説明する。まず、スキャナ１１０は、原稿１を読取り、画像データを取得する（ステップＳ１４０１）。ここで、原稿１は横書きであるものとする。スキャナ１１０は、取得した画像データを画像記憶部１２０に格納する（ステップＳ１４０２）。操作表示制御部１５１は、画像記憶部１２０から画像データを取得し、取得した画像データや処理条件メニュー等から画像データを生成する（ステップＳ１４０３）。操作表示制御部１５１は、生成された画像データを操作表示部１５０に表示する（ステップＳ１４０４）。
【００５３】
めくり方向受付部１５２は、操作表示部１５０の指示により、めくり方向の入力を受け付ける（ステップＳ１４０５）。本例のめくり方向としては、“左上斜め”が受け付けられる。見開き軸特定部１５３は、受け付けられためくり方向から見開き軸の位置を特定する（ステップＳ１４０６）。
【００５４】
具体的には、見開き軸特定部１５３は、見開き軸特定データベース１８０に格納された特定ルールに基づいて見開き軸の位置を特定する。見開き軸特定部１５３は、めくり方向受付部１５２により受け付けためくり方向“左上斜め”に対応する見開き軸の位置“左上部”を特定する。
【００５５】
次に、処理条件メニュー生成部１５４は、処理条件メニュー生成処理を実行する（ステップＳ１４０７）。具体的には、図１５に示す処理で処理条件メニューを生成する。処理条件メニュー生成部１５４は、処理条件データベース１９０から、めくり方向に対応する処理条件および条件値を取得する（ステップＳ１５０１）。この場合は、めくり方向が“左上斜め”であることから、処理条件“ステープラ”に対応する条件値“左斜め上”、処理条件“両面左右開き”、“両面上下開き”、および“パンチ”に対応する条件値“なし”が取得される。処理条件メニュー生成部１５４は、取得された処理条件から処理条件メニューを生成する（ステップＳ１５０２）。例えば、めくり方向が“左上斜め”の場合は、処理条件“ステープラ”には取り得る条件値があり、処理条件“両面左右開き”、“両面上下開き”、および“パンチ”には取り得る条件値がないため、“ステープラ”が表示され、“両面左右開き”、“両面上下開き”、および“パンチ”が表示されない処理条件メニューが生成される。
【００５６】
図１４−１の処理に戻り、操作表示制御部１５１は、画像データを生成する（ステップＳ１４０８）。具体的には、画像データから生成されたプレビュー画像、見開き軸、処理条件メニュー等からなる画像データを生成する。例えば、図６に示すような画像データを生成する。操作表示制御部１５１は、生成された画像データを操作表示部１５０に表示し（ステップＳ１４０９）、ステップＳ１４１０に進む。
【００５７】
操作表示制御部１５１は、処理条件の入力があると判断した場合は（ステップＳ１４１０：Ｙｅｓ）、操作表示制御部１５１は処理条件を取得する（ステップＳ１４１１）。図１６は、操作表示部１５０に表示された表示画面の一例を示す説明図である。例えば、図１６に示すように、処理条件メニューから“両面左右開き”、“集約２”を指示することにより、処理条件として“両面左右開き”、“集約２”を取得する。操作表示制御部１５１は、取得された処理条件に対応する画像データを生成する（ステップＳ１４１２）。操作表示制御部１５１は、生成された画像データを操作表示部１５０に表示する（ステップＳ１４１３）。図１７は、操作表示部に表示された表示画面の一例を示す説明図である。例えば、図１７に示すように、集約２に対応したプレビュー画像３２として画像データ２ページを１ページに集約して表示する。
【００５８】
次いで、操作表示制御部１５１は、画像データに対する設定が終了したと判断し（ステップＳ１４１４：Ｙｅｓ）、すなわち印刷指示がされたと判断した場合に、画像処理部１３０は画像データを設定された条件値に従って画像処理する（ステップＳ１４１５）。画像処理部１３０は、画像処理された画像データおよびめくり方向を画像記憶部１２０に格納する（ステップＳ１４１６）。プリンタコントローラ１４２は、画像処理された画像データをプリンタ１４０から出力する（ステップＳ１４１７）。仕上げ処理部１４１は、出力された印刷物２に対して仕上げ処理を行う（ステップＳ１４１８）。すなわち、印刷物２は、画像データ２ページを１ページに集約して両面印刷される。
【００５９】
（第２の実施の形態）
第１の実施の形態においては、本発明の画像処理装置として、ＭＦＰと称される複合機１００を適用したが、これに限るものではない。例えば、プリンタ装置などの画像形成装置をパーソナルコンピュータに接続するとともに、このパーソナルコンピュータのＨＤＤ（Hard Disk Drive）などの記憶装置に所定のプログラムをインストールし、このプログラムに従ってパーソナルコンピュータのＣＰＵ（Central Processing Unit ）を動作させることによっても、前述したような各種の作用効果と同様の作用効果を得ることができる。
【００６０】
図１８は、第２の実施の形態にかかるプリントシステムの概略構成例を示すブロック図である。図１８に示すプリントシステム３００は、画像データ及び当該画像データを印刷するための処理条件を含む印刷ジョブを送出するパーソナルコンピュータ３０１と、画像データを印刷するプリンタ装置３０２とが、ケーブル３０３を介して接続されて構築されている。
【００６１】
パーソナルコンピュータ３０１は、作成した文書に対応した画像データ及びこの文書を印刷するために設定した処理条件データ（用紙方向、両面、集約、製本、ステープル、パンチ、拡大／縮小等）を印刷ジョブとしてプリンタ装置３０２に送出する。
【００６２】
プリンタ装置３０２は、パーソナルコンピュータ３０１から送出される印刷ジョブに従って画像データの印刷を行う。具体的には、プリンタ装置３０２は、印刷ジョブに含まれる処理条件データ（用紙方向、両面、集約、製本、ステープル、パンチ、拡大／縮小等）に従って、印刷ジョブに含まれる画像データを紙などのメディアに印刷する。
【００６３】
以下、パーソナルコンピュータ３０１およびプリンタ装置３０２の具体的な構成を順に説明する。
【００６４】
図１９は、パーソナルコンピュータの概略構成を示すブロック図である。図１９において、パーソナルコンピュータ３０１は、データを入力するための入力部３１１と、表示部３１２と、データ通信をおこなうための通信部３１３と、装置全体の制御を司るＣＰＵ３１４と、ＣＰＵ３１４のワークエリアとして使用されるＲＡＭ３１５と、記憶媒体３１７のデータのリード／ライトを行う記憶媒体ドライブ装置３１６と、ＣＰＵ３１４を動作させるための各種プログラム等を記憶した記憶媒体３１７とから構成されている。
【００６５】
入力部３１１は、カーソルキー、数字入力キー及び各種機能キー等を備えたキーボード、表示部３１２の表示画面上でキーの選択等を行うためのマウスやスライスパット等からなり、利用者がＣＰＵ３１４に操作指示を与えたり、データを入力するためのユーザインタフェースである。
【００６６】
表示部３１２は、ＣＲＴやＬＣＤ等により構成され、ＣＰＵ３１４から入力される表示データに応じた表示が行われる。通信部３１３は、外部とデータ通信するためのものであり、例えば、ケーブル３０３を介してプリンタ装置３０２等とデータ通信を行うためのものである。
【００６７】
ＣＰＵ３１４は、記憶媒体３１７に格納されているプログラムに従って、装置全体を制御する中央制御ユニットであり、このＣＰＵ３１４には、入力部３１１、表示部３１２、通信部３１３、ＲＡＭ３１５、記憶媒体ドライブ装置３１６が接続されており、データ通信、メモリへのアクセスによるアプリケーションプログラムの読み出しや各種データのリード／ライト、データ／コマンド入力、表示等を制御する。また、ＣＰＵ３１４は、入力部３１１から入力された画像データ及び当該画像データの印刷条件データを印刷ジョブとして通信部３１３を介して、プリンタ装置３０２に送出する。
【００６８】
ＲＡＭ３１５は、指定されたプログラム、入力指示、入力データ及び処理結果等を格納するワークメモリと、表示部３１２の表示画面に表示する表示データを一時的に格納する表示メモリとを備えている。
【００６９】
上記記憶媒体３１７は、ＣＰＵ３１４が実行可能なＯＳプログラム３１７ａ（例えば、ＷＩＮＤＯＷＳ（登録商標）等）、文書作成アプリケーションプログラム３１７ｂ、プリンタ装置３０２に対応したプリンタドライバ３１７ｃ等の各種プログラムやデータを格納する。記憶媒体３１７としては、例えば、フレキシブルディスク、ハードディスク、ＣＤ−ＲＯＭ、ＤＶＤ−ＲＯＭ、ＭＯやＰＣカード等の光学的・磁気的・電気的な記憶媒体から成る。上記各種プログラムは、ＣＰＵ３１４が読み取り可能なデータ形態で記憶媒体３１７に格納されている。また、上記各種プログラムは、予め記憶媒体に記録されている場合や通信回線を介してダウンロードされて記憶媒体に格納される場合等がある。また、上記各種プログラムは通信回線を介して配信可能である。
【００７０】
図２０は、プリンタ装置の概略構成を示すブロック図である。図２０に示すように、プリンタ装置３０２は、データ通信をおこなう通信部３２１と、プリンタ装置３０２の全体の制御を司るＣＰＵ３２２と、ＣＰＵ３２２を動作させる各種制御プログラムを格納したＲＯＭ３２３と、各種制御プログラムのワークエリアおよびパーソナルコンピュータ３０１等から入力される印刷ジョブの印字データおよび処理条件データを一時的に格納するＲＡＭ３２４と、印字データを転写紙に印字するためのプリンタエンジン３２５と、印字データが印字された紙をステープルするためのステープル部３２６と、印字データが印字された転写紙にパンチ穴を空けるためのパンチ部３２７とから構成されている。つまり、プリンタ装置３０２は、両面機能、パンチ機能、ステープル機能等を備えている。
【００７１】
通信部３２１は、外部とデータ通信を行うためのものであり、例えば、パーソナルコンピュータ３０１とデータ通信を行うものである。
【００７２】
ＣＰＵ３２２は、ＲＯＭ３２３に格納されている各種制御プログラムに従って装置全体を制御する中央制御ユニットである。このＣＰＵ３２２には、通信部３２１と、ＲＯＭ３２３と、ＲＡＭ３２４と、プリンタエンジン３２５と、ステープル部３２６と、パンチ部３２７が接続されており、データ通信やプリンタ動作等を制御する。
【００７３】
ＲＯＭ３２３は、ＣＰＵ３２２を動作させるための各種制御プログラムやその処理に使用されるパラメータ等を記憶している。ＲＡＭ３２４は、指定された制御プログラム、処理結果及び受信した画像データ等を格納するワークメモリを備えている。
【００７４】
プリンタエンジン３２５は、電子写真方式のプリンタエンジンで構成されており、印字データを転写紙に印字するユニットである。なお、プリンタ装置３０２の印刷方式は、電子写真方式のほか、インクジェット方式、昇華型熱転写方式、銀塩写真方式、直接感熱記録方式、溶融型熱転写方式など、様々な方式を用いることができる。
【００７５】
次に、パーソナルコンピュータ３０１のプリンタドライバ３１７ｃについて説明する。プリンタドライバ３１７ｃは、特定のプログラムに対して他のプログラムが、プリンタ装置３０２のハードウェアや内部“言語”に煩わされることなく操作できるように設計されたソフトウエアプログラムであり、プリンタ装置３０２を制御するためのもので、出力データの処理等をおこなうためのものである。
【００７６】
パーソナルコンピュータ３０１のＣＰＵ３１４は、プリンタドライバ３１７ｃに従って、入力部３１１から入力された画像データ及び当該画像データの処理条件データに基づく仕上がり予想図の生成・表示、文書作成アプリケーションプログラム３１７ｂで作成した画像データのプリンタ装置３０２への転送等を行う。
【００７７】
図２１は、パーソナルコンピュータの要部を示すブロック図である。パーソナルコンピュータ３０１は、プリンタドライバ３１７ｃに従ってＣＰＵ３１４が動作することにより、図２１に示すように、画像記憶部１２０、画像処理部１３０、操作表示制御部１５１、めくり方向受付部１５２、見開き軸特定部１５３、処理条件メニュー生成部１５４、システム制御部１６０、見開き軸特定データベース１８０および処理条件データベース１９０を備える。
【００７８】
このように、プリンタドライバ３１７ｃに従ってＣＰＵ３１４が動作することにより、パーソナルコンピュータ３０１は、図１に示した複合機１００と同等なシステム構成を備えることになり、第１の実施の形態で説明したような各種の作用効果と同様の作用効果を得ることができる。
【００７９】
図２２は、プリンタドライバによる表示画面の一例を示す説明図である。図２２に示す画面は、文書作成アプリケーションプログラム３１７ｂの表示画面やＯＳプログラム３１７ａの起動画面等で、プリンタドライバ３１７ｃの起動が選択された場合に表示される画面である。図２２に示すように、入力部３１１から入力された画像データ及び当該画像データの処理条件データに基づくプレビュー画像の生成・表示を行なう表示画面が表示部３１２（複合機１００の操作表示画面と同様のもの）が表示される。
【００８０】
なお、本実施の形態においては、プリンタドライバ３１７ｃに従ってパーソナルコンピュータ３０１のＣＰＵ３１４を動作させることによって、入力部３１１から入力された画像データ及び当該画像データの処理条件データに基づく仕上がり予想図の生成・表示を行なう操作表示画面を表示させるようにしたが、これに限るものではなく、文書作成アプリケーションプログラム３１７ｂやＯＳプログラム３１７ａに従ってパーソナルコンピュータ３０１のＣＰＵ３１４を動作させることによって、操作表示画面を表示させるようにしてもよい。
【００８１】
以上、本発明者によってなされた発明を好適な実施例に基づき具体的に説明したが、本発明は上記のものに限定されるものではなく、その要旨を逸脱しない範囲で種々変更可能であることはいうまでもない。また、上述した第１〜第２の実施の形態において説明した構成や機能は、自由に組み合わせることができる。
【図面の簡単な説明】
【００８２】
【図１】第１の実施の形態にかかる複合機の構成を示すブロック図である。
【図２】操作表示部に表示されたプレビュー画像とめくり方向指示メニューの一例を示す説明図である。
【図３】見開き軸特定データベースのデータ構成の一例を示す説明図である。
【図４】操作表示部に表示されたプレビュー画像と見開き軸の一例を示す説明図である。
【図５】操作表示部に表示されたプレビュー画像と見開き軸の一例を示す説明図である。
【図６】操作表示部に表示されたプレビュー画像と見開き軸の一例を示す説明図である。
【図７】操作表示部に表示されたプレビュー画像と見開き軸の一例を示す説明図である。
【図８】操作表示部に表示されたプレビュー画像と見開き軸の一例を示す説明図である。
【図９】操作表示部に表示されたプレビュー画像と見開き軸の一例を示す説明図である。
【図１０】操作表示部に表示されたプレビュー画像と見開き軸の一例を示す説明図である。
【図１１】操作表示部に表示されたプレビュー画像と見開き軸の一例を示す説明図である。
【図１２】操作表示部に表示されたプレビュー画像と見開き軸の一例を示す説明図である。
【図１３】処理条件データベースのデータ構成の一例を示す説明図である。
【図１４−１】スキャナ、方向受付部、見開き軸特定部、処理条件メニュー生成部、操作表示制御部、プリンタコントローラ、仕上げ処理部が行う処理条件設定・出力処理手順を示すフローチャートである。
【図１４−２】スキャナ、方向受付部、見開き軸特定部、処理条件メニュー生成部、操作表示制御部、プリンタコントローラ、仕上げ処理部が行う処理条件設定・出力処理手順を示すフローチャートである。
【図１５】処理条件メニュー生成部が行う処理条件メニュー生成処理手順を示すフローチャートである。
【図１６】操作表示部に表示された表示画面の一例を示す説明図である。
【図１７】操作表示部に表示された表示画面の一例を示す説明図である。
【図１８】第２の実施の形態にかかるプリントシステムの概略構成例を示すブロック図である。
【図１９】パーソナルコンピュータの概略構成を示すブロック図である。
【図２０】プリンタ装置の概略構成を示すブロック図である。
【図２１】パーソナルコンピュータの要部を示すブロック図である。
【図２２】プリンタドライバによる表示画面の一例を示す説明図である。
【符号の説明】
【００８３】
１００  複合機
１１０  スキャナ
１１１  ＡＤＦ
１１２  スキャナコントローラ
１２０  画像記憶部
１３０  画像処理部
１３１  プレビュー画像生成部
１４０  プリンタ
１４１  仕上げ処理部
１４２  プリンタコントローラ
１５０  操作表示部
１５０ａ  タッチパネル
１５０ｂ  表示パネル
１５１  操作表示制御部
１５２  方向受付部
１５３  見開き軸特定部
１５４  処理条件メニュー生成部
１６０  システム制御部
１７０  通信制御部
１８０  見開き軸特定データベース
１９０  処理条件データベース
３００  プリントシステム
３０１  パーソナルコンピュータ
３０２  プリンタ装置
３０３  ケーブル
１  原稿
２  印刷物
２０  ネットワーク
【図１】
2009048096.tif 000003
【図２】
2009048096.tif 000004
【図３】
2009048096.tif 000005
【図４】
2009048096.tif 000006
【図５】
2009048096.tif 000007
【図６】
2009048096.tif 000008
【図７】
2009048096.tif 000009
【図８】
2009048096.tif 000010
【図９】
2009048096.tif 000011
【図１０】
2009048096.tif 000012
【図１１】
2009048096.tif 000013
【図１２】
2009048096.tif 000014
【図１３】
2009048096.tif 000015
【図１４−１】
2009048096.tif 000016
【図１４−２】
2009048096.tif 000017
【図１５】
2009048096.tif 000018
【図１６】
2009048096.tif 000019
【図１７】
2009048096.tif 000020
【図１８】
2009048096.tif 000021
【図１９】
2009048096.tif 000022
【図２０】
2009048096.tif 000023
【図２１】
2009048096.tif 000024
【図２２】
2009048096.tif 000025